(57)【要約】  【課題】ペダル後退防止ブラケットの取付作業性を向上させる。  【解決手段】クロスカービーム１固定された取付ブラケット１１に対して、電子機器としてのヘッドアップディスプレイ１０が取付けられる。ペダル後退防止ブラケット３０が、取付ブラケット１１の下方において、ベースブラケット２０を介してクロスカービーム１に固定される。ペダル後退防止ブラケット３０に形成された回り止め部３０ｂが、ベースブラケット２０に形成された係止部２０ｂに係止されることにより、ペダル後退防止ブラケット３０の回り止めが行われる。この回り止めが行われた状態で、ペダル後退防止ブラケット３０が、第１固定具３１（３１Ａ、３１Ｂ）によってベースブラケット２０に固定される。【選択図】  図６
2018169805.tif 000002
【特許請求の範囲】
【請求項１】
後方への荷重によって運転者の足で操作される操作ペダルが後退されたときに、該操作ペダルの保持部が当接されるペダル後退防止ブラケットを備えた車両の内装構造であって、
前記ペダル後退防止ブラケットが、クロスカービームに対して第１固定具によって着脱自在に固定される固定部と、前記操作ペダルが後退されたときに当接される受圧部と、を有し、
前記固定部と前記受圧部とが、上下方向にオフセットされており、
前記ペダル後退防止ブラケットに、前記クロスカービームに対する回り止め部が形成されている、
ことを特徴とする車両の内装構造。
【請求項２】
請求項１において、
前記ペダル後退防止ブラケットは、前上方に伸びる本体部を有し、
前記本体部の前端部が、前記受圧部として構成され、
前記本体部の後端部が、前記固定部として構成されている、
ことを特徴とする車両の内装構造。
【請求項３】
請求項１または請求項２において、
前記固定部は、前記クロスカービームに対して固定されたベースブラケットに対して、前記第１固定具を介して着脱自在に固定され、
前記固定部は、前記ベースブラケットに対して面接触された状態でもって固定される、
ことを特徴とする車両の内装構造。
【請求項４】
請求項３において、
前記回り止め部が前記ベースブラケットに対して当接されることにより、前記ペダル後退防止ブラケットが回り止めされる、ことを特徴とする車両の内装構造。
【請求項５】
請求項１ないし請求項４のいずれか１項において、
前記回り止め部は、前記第１固定具による固定方向と同一方向に伸びている、ことを特徴とする車両の内装構造。
【請求項６】
請求項１ないし請求項請求項５のいずれか１項において、
前記ペダル後退防止ブラケットの上方に、電子機器が配設され、
前記電子機器は、前記ペダル後退防止ブラケットを取外した状態で、前記クロスカービームの前方空間を通して下方から取付、取外し可能とされている、
ことを特徴とする車両の内装構造。
【請求項７】
請求項３または請求項４において、
前記ペダル後退防止ブラケットの上方に配設された電子機器が、前記クロスカービームに固定された取付ブラケットに対して第２固定具によって下方から着脱自在として固定され、
前記電子機器は、前記ペダル後退防止ブラケットを取外した状態で、前記クロスカービームの前方空間を通して下方から取付、取外し可能とされ、
前記ベースブラケットのうち車幅方向の一部が、平面視において前記第２固定具と重ならないように、後方へ屈曲された屈曲部とされている、
ことを特徴とする車両の内装構造。
【請求項８】
請求項６または請求項７において、
前記操作ペダルがブレーキペダルとされ、
前記電子機器が、運転者の前方に情報表示を行うヘッドアップディスプレイとされている、
ことを特徴とする車両の内装構造。
【発明の詳細な説明】
【技術分野】
【０００１】
本発明は、車両の内装構造に関するものである。
【背景技術】
【０００２】
車両においては、特許文献１に示すように、前方衝突時に、運転者の足によって操作される操作ペダル（特にブレーキペダル）が所定以上後退するのを防止するペダル後退防止機構を備えたものが一般的となっている。
【０００３】
一方、最近の車両では、特許文献２に示すように、運転者の前方に各種情報を表示するヘッドアップディスプレイを搭載したものも増加する傾向にある。
【先行技術文献】
【特許文献】
【０００４】
【特許文献１】特開２００９−２３７８４４号公報
【特許文献２】特開２００９−１１４９号公報
【発明の概要】
【発明が解決しようとする課題】
【０００５】
ペダル後退防止機構にあっては、通常、強度部材としての車幅方向に伸びるクロスカービーム（インパネ支持メンバあるいはステアリング支持メンバと称されることもある）に対して固定されるペダル後退防止ブラケットを備えている。すなわち、ペダル後退防止ブラケットは、後退する操作ペダルが当接される受圧部と、クロスカービームに固定される固定部と、を有するものとなっている。そして、前方衝突時に操作ペダルが所定以上後退したときには、操作ペダルの保持部がペダル後退防止ブラケット（の受圧部）に当接されることにより、操作ペダルが脱落する等によってそれ以上後退しないようにしてある。
【０００６】
一方、クロスカービームの上方に配設されるヘッドアップディスプレイ等の電子機器に対するサービス性向上等の観点から、電子機器を、クロスカービームの前方空間を通して下方から取付、取外し可能にすることも考えられている。この場合、電子機器の下方に存在するペダル後退防止ブラケットが邪魔になることから、ペダル後退防止ブラケットをクロスカービームに対して固定具によって着脱自在に固定して、適宜ペダル後退防止ブラケットをクロスカービームから取外せるようにすることが考えられる。
【０００７】
上述のように、ペダル後退防止ブラケットを、固定具によってクロスカービームに対して着脱自在に固定する場合に、ペダル後退防止ブラケットがクロスカービームの回りに不用意に回動してしまって、固定作業が面倒である、という問題を新たに生じる。すなわち、ペダル後退防止ブラケットは、その固定部と受圧部との間がかなり離間した細長い形状であるため、ペダル後退防止ブラケットの固定部を、固定のためにクロスカービームの所定位置に接触させた状態では、ペダル後退防止ブラケットに作用するモーメントモメントによってペダル後退防止ブラケットが回動してしまうことになる。したがって、固定を行う作業者は、一方の手でペダル後退防止ブラケットの回り止めを行いつつ、他方の手で固定作業を行う、ということを強いられることになる。
【０００８】
本発明は以上のような事情を勘案してなされたもので、その目的は、ペダル後退防止ブラケットのクロスカービームに対する固定作業を容易に行えるようにした車両の内装構造を提供することにある。
【課題を解決するための手段】
【０００９】
前記目的を達成するため、本発明にあっては次のような解決手法を採択してある。すなわち、請求項１に記載のように、
後方への荷重によって運転者の足で操作される操作ペダルが後退されたときに、該操作ペダルの保持部が当接されるペダル後退防止ブラケットを備えた車両の内装構造であって、
前記ペダル後退防止ブラケットが、クロスカービームに対して第１固定具によって着脱自在に固定される固定部と、前記操作ペダルが後退されたときに当接される受圧部と、を有し、
前記固定部と前記受圧部とが、上下方向にオフセットされており、
前記ペダル後退防止ブラケットに、前記クロスカービームに対する回り止め部が形成されている、
ようにしてある。
【００１０】
上記解決手法によれば、ペダル後退防止ブラケットを第１固定具によってクロスカービームに対して固定する作業を行う際に、回り止め部によってペダル後退防止ブラケットの回り止めが行われているので、固定を行う作業者は、回り止めのために片方の手でペダル後退防止ブラケットを支承している必要がなくなり、固定作業が容易となる。また、ペダル後退防止ブラケットの上方空間に配設される機器類に対するサービスを、ペダル後退防止ブラケットを取外した状態でもって行うことができ、サービス性向上の上でも好ましいものとなる。
【００１１】
上記解決手法を前提とした好ましい態様は、次のとおりである。すなわち、
前記ペダル後退防止ブラケットは、前上方に伸びる本体部を有し、
前記本体部の前端部が、前記受圧部として構成され、
前記本体部の後端部が、前記固定部として構成されている、
ようにしてある（請求項２対応）。この場合、回り止めが必要となるペダル後退防止ブラケットの形状や固定部位の具体的な態様が提供される。
【００１２】
前記固定部は、前記クロスカービームに対して固定されたベースブラケットに対して、前記第１固定具を介して着脱自在に固定され、
前記固定部は、前記ベースブラケットに対して面接触された状態でもって固定される、
ようにしてある（請求項３対応）。この場合、ベースブラケットを利用してペダル後退防止ブラケットをクロスカービームに対して容易に固定できるようにしつつ、面接触を利用して、ペダル後退防止ブラケットに入力される後方への荷重をベースブラケットを介してクロスカービームへ効果的に伝達することができる。
【００１３】
前記回り止め部が前記ベースブラケットに対して当接されることにより、前記ペダル後退防止ブラケットが回り止めされる、ようにしてある（請求項４対応）。この場合、ベースブラケットを、回り止めの際の荷重を受ける部材として有効に利用することができる。
【００１４】
前記回り止め部は、前記第１固定具による固定方向と同一方向に伸びている、ようにしてある（請求項５対応）。この場合、固定のためにペダル後退防止ブラケットをベースブラケットに接近させたときに、回り止め部による回り止め作用を自動的に得るようにする上で好ましいものとなる。
【００１５】
前記ペダル後退防止ブラケットの上方に、電子機器が配設され、
前記電子機器は、前記ペダル後退防止ブラケットを取外した状態で、前記クロスカービームの前方空間を通して下方から取付、取外し可能とされている、
ようにしてある（請求項６対応）。この場合、電子機器を、インストルメントパネルを取外すことなく、車室内側へ取出したり車室内側から取付けることができ、電子機器のサービス性向上の上で極めて好ましいものとなる。
【００１６】
前記ペダル後退防止ブラケットの上方に配設された電子機器が、前記クロスカービームに固定された取付ブラケットに対して第２固定具によって下方から着脱自在として固定され、
前記電子機器は、前記ペダル後退防止ブラケットを取外した状態で、前記クロスカービームの前方空間を通して下方から取付、取外し可能とされ、
前記ベースブラケットのうち車幅方向の一部が、平面視において前記第２固定具と重ならないように、後方へ屈曲された屈曲部とされている、
ようにしてある（請求項７対応）。この場合、取付ブラケットを利用して電子機器を所望位置できちんと固定できるようにしつつ、ベースブラケットに邪魔されることなく、電子機器を取付ブラケットから取外したり、取付けることができる。
【００１７】
前記操作ペダルがブレーキペダルとされ、
前記電子機器が、運転者の前方に情報表示を行うヘッドアップディスプレイとされている、
ようにしてある（請求項８対応）。この場合、操作ペダルと電子機器の具体的ものが提供される。
【発明の効果】
【００１８】
本発明によれば、ペダル後退防止ブラケットのクロスカービームに対する固定作業を容易に行うことができる。
【図面の簡単な説明】
【００１９】
【図１】本発明の一実施形態を示す側面断面図。
【図２】ヘッドアップディスプレイの取付け状態を上方から見た平面図。
【図３】ヘッドアップディスプレイの取付け状態を下方から見た底面図。
【図４】図３に示す状態から、ペダル後退防止ブラケットを取外した状態を示す底面図。
【図５】図４に示す状態から、ヘッドアップディスプレイを取外した状態を示す底面図。
【図６】ベースプレートとペダル後退防止ブラケットとの固定部位と回り止め部の部分を示す斜視図。
【図７】ベースプレートとペダル後退防止ブラケットとの組付状態を示す後方斜視図。
【図８】ベースプレートとペダル後退防止ブラケットとの組付状態を示す側面図。
【発明を実施するための形態】
【００２０】
図１において、１は、車幅方向に伸びる車体強度部材としてのクロスカービームである。クロスカービーム１は、左右一対のヒンジピラー（図示略）同士を連結していて、ステアリングシャフト（図示略）をも支持している。
【００２１】
このクロスカービーム１には、インストルメントパネル２が固定されている。インストルメントパネル２内には、運転席に対応した位置において、電子機器としてのヘッドアップディスプレイ１０が配設されている。ヘッドアップディスプレイ１０は、インストルメントパネル２に形成された開口部を通して、運転者に提供する各種情報をフロントウインドガラスの前方に投影する。
【００２２】
ヘッドアップディスプレイ１０は、クロスカービーム１に固定（例えば溶接）された左右一対の取付ブラケット１１に対して、ボルト等の第２固定具１２によって着脱自在に固定されている（図２〜図４参照）。具体的には、ヘッドアップディスプレイ１０には、取付け用のフランジ部１０ａが形成されて、このフランジ部１０ａを取付ブラケット１１の下面に対して着座させた状態で、下方から操作（回転操作）されるボルト、ナット等の第２固定具１２によって取付ブラケット１１に対して固定される。なお、図５において、取付ブラケット１１に形成された第２固定具１２用の取付孔が符号１１ａで示される。
【００２３】
取付ブラケット１１は、クロスカービーム１に対して前方へ伸びている。そして、ヘッドアップディスプレイ１０は、取付ブラケット１１への固定状態で、クロスカービーム１から前方側に大きく突出した状態で配設される。
【００２４】
左右一対の取付ブラケット１１の一方の下方に、後述するブレーキペダルが位置される（図２では、ブレーキペダルはヘッドアップディスプレイ１０により隠されている）。クロスカービーム１には、さらに、上記一方の取付ブラケット１１の下方において、ベースブラケット２０を介して、ペダル後退防止ブラケット３０が固定されている。具体的には、ベースブラケット２０は、例えば鉄系の金属板を加工することにより形成されて、クロスカービーム１に固定（例えば溶接）されている。
【００２５】
ペダル後退防止ブラケット３０は、例えば鉄系金属板を加工することにより形成されている。このペダル後退防止ブラケット３０は、ベースブラケット２０に形成された平坦面状の取付面２０ａに対して面接触された着座状態で、第１固定具３１によって、ベースブラケット２０に対して着脱自在に固定されている。第１固定具３１は、下方から操作（回転操作）可能とされている。この第１固定具３１は、実施形態では、ベースブラケット２０（の取付面）にあらかじめ固定されたボルト３１Ａと、ボルト３１Ａに対して螺合されるナット３１Ｂとによって構成されている（図３、図６、図８参照）。
【００２６】
ペダル後退防止ブラケット３０は、前上方へ伸びる本体部としての本体部材３０Ａと、本体部材３０Ａの前端に溶接等により固定された受圧部としての受圧板３０Ｂとによって構成されている。本体部材３０Ａと受圧板３０Ｂとは、同一部材によって一体成形することもできる。
【００２７】
ペダル後退防止ブラケット３０の後端部は、前記ベースブラケット２０の取付面２０ａに着座される平坦面状の固定部３０ａを有する。この固定部３０ａに、前述した第１固定具３１のボルト３１Ａが挿通される取付孔（図示略）が形成されている。このように、ペダル後退防止ブラケット３０は、ベースブラケット２０に対して平坦面での大きな接触面積が確保されて状態でもって、第１固定具３１によってベースブラケット２０に固定される。
【００２８】
特に、図８から明かなように、ペダル後退防止ブラケット３０は、細長いことから、その固定部３０ａをベースブラケット２０の取付面２０ａに着座させただけの状態（第１固定具３１による固定が行われない状態）では、図８中矢印αで示すようなモーメントが作用する。つまり、このモーメントによって、ペダル後退防止ブラケット３０は、ほぼクロスカービーム１を中心にして勝手に回動するものとなっている。したがって、ペダル後退防止ブラケット３０をベースブラケット２０に固定する作業を行う作業者は、片方の手でペダル後退防止ブラケット３０を支承しつつ、他方の手で第１固定具３１を利用した固定作業を行う必要があった。
【００２９】
上記モーメントに起因するペダル後退防止ブラケット３０の回り止めのために、ペダル後退防止ブラケット３０には、後方へ向けて突出された回り止め部３０ｂが形成されている。この一方、ベースブラケット２０には、回り止め部３０ｂに係合される突起状の係止部２０ｂが形成されている。
【００３０】
上記係止部２０ｂは、略Ｌ字状に形成されている。そして、ペダル後退防止ブラケット３０をベースブラケット２０に対して固定された図６、図８に示すような固定状態では、係止部２０ｂの先端部が、回り止め部３０ｂの直下方に位置された状態とされる。つまり、ベースブラケット２０には、係止部２０ｂの先端部との間に、回り止め部３０ｂが挿入される隙間Ｓが形成される。
【００３１】
回り止め部３０ｂの突出方向は、第１固定具３１による固定方向（ボルト３１Ａの伸びる方向）とされている。これにより、ペダル後退防止ブラケット３０の固定部３０ａを、ベースブラケット２０の取付面２０ａに着座させるように、第１固定具３１の固定方向から接近させたとき、回り止め部３０ｂが前記隙間Ｓに自動的に挿入されることになる。そして、第１固定具３１（のボルト３１Ａ）がペダル後退防止ブラケット３０の固定部３０ｂ（の取付孔）に挿通された状態では、係止部２０ｂによって、ペダル後退防止ブラケット３０の回り止めが行われることになる。これにより、固定を行う作業者は、ペダル後退防止ブラケット３０の回り止めのために片方の手でペダル後退防止ブラケット３０を支承している必要がなくなり、固定作業が極めて容易となる。
【００３２】
ここで、ベースブラケット２０のうち、車幅方向の一部が、後方へ屈曲された屈曲部２０ｃとされている。この屈曲部２０ｃの形成によって、平面視において、ベースブラケット２０が取付ブラケット１１の取付孔１１ａと重ならないようにされる。すなわち、図４、図５から明かなように、上記屈曲部２０ｃを形成することによって、平面視において、取付部１１に形成された取付孔１１ａが下方から目視できるように露出されて、取付ブラケット１１に対してヘッドアップディスプレイ１０を固定する際に、ベースブラケット２０が邪魔にならないようにされる。
【００３３】
再び図１において、エンジンルームと車室とを仕切るダッシュパネル４０には、運転者の足で操作される操作ペダルとしてのブレーキペダル５０が保持されている。すなわち、ダッシュパネル４０固定されたブラケット５１に対して、保持ピン５２を介して、ブレーキペダル５０の基端部が揺動可能に保持されている。保持ピン５２は、ブラケット５１に形成された保持孔５１ａに保持されている。そして、保持孔５１ａの下部は部分的に切り欠かれて、保持ピン５２に対して所定以上の上方からの荷重が作用したときに、保持ピン５２が保持孔５１ａから抜け出て、ブレーキペダル５０が落下されるようになっている。
【００３４】
ブラケット５１には、ピン５３を介して、揺動レバー５４が揺動可能に保持されている。通常状態において、揺動レバー５４の一端部５４ａが、前述したペダル後退防止ブラケット３０における受圧板３０Ｂの直前方に位置されている。また、揺動レバー５４の他端部５４ｂが、前記保持ピン５２の直上方に位置されている。
【００３５】
前方衝突されて、ダッシュパネル４０を介してブレーキペダル５０（を保持しているブラケット５１）が所定以上後退すると、揺動レバー５４の一端部５４ａがペダル後退防止ブラケット３０の受圧板３０Ｂに当接される。これにより、揺動レバー５４は、ペダル後退防止ブラケット３０からの反力によって、ピン５３を中心にして、その他端部５４ｂが下方へ変位するように揺動される。この揺動レバー５４の揺動によって、保持ピン５２が保持孔５１ａから抜け出て、ブレーキペダル５０が下方へ落下される（運転者の脚部の保護）。
【００３６】
一方、ペダル後退防止ブラケット３０に対しては、揺動レバー５４を介して、後方への荷重が作用する。この後方への荷重は、ベースブラケット２０を介してクロスカービーム１に対して受け止められる。ペダル後退防止ブラケット３０とベースブラケット２０とが面接触されていることから、ペダル後退防止ブラケット３０に作用する後方への荷重を効果的にベースブラケット２０に伝達して、最終的に、後方への荷重をクロスカービーム１に対して効果的に伝達することができる。
【００３７】
また、ペダル後退防止ブラケット３０は、後方への荷重を受けたときに、図８中反時計方向へのモーメント力を受けるが、回り止め部３０ｂを利用した回り止め作用によってこのモーメント力に対抗して、ベースブラケット２０を介してクロスカービーム１への荷重伝達をより一層効果的に行うことができる。
【００３８】
次に、ヘッドアップディスプレイ１０の取付、取外しの点について説明するが、ベースブラケット２０は、クロスカービーム１に固定された状態のままであり、この状態が図５に示される。
【００３９】
図５の状態では、ペダル後退防止ブラケット３０が存在しないことから、ヘッドアップディスプレイ１０が、クロスカービーム１の前方空間Ｋ（クロスカービーム１とダッシュパネル４０の間の空間）を通して、取付ブラケット１１に対する取付位置まで移動される。この後、第２固定具１２を利用して、ヘッドアップディスプレイ１０が、取付ブラケット１１に固定される。この後、ペダル後退防止ブラケット３０が、第１固定具３１を利用して、ベースブラケット２０に固定され、この状態が図３および図１、図２に示す状態となる。
【００４０】
なお、車両の組立時は、インストルメントパネル関連部材が上下逆の姿勢とされた状態で各種の取付作業が行われることが一般的である。このため、ペダル後退防止ブラケット３０は、図８に示す姿勢状態から、９０度強反時計回りの姿勢もって、ベースブラケット２０に対する固定作業が行われて、ペダル後退防止ブラケット３０に作用するモーメントは、図８中反時計方向となり、この反時計方向の回り止めが、規制部としての回り止め部３０ｂと係止部２０ｂとによって規制されることになる。なお、図８中時計回りの回り止めは、ベースブラケット２０（の本体部分）によって行われる。
【００４１】
図１〜図３に示すヘッドアップディスプレイ１０の取付状態から、ヘッドアップディスプレイ１０を取外すには、上記組立手順と逆の手順で行えばよい。すなわち、まず、ペダル後退防止ブラケット３０が取外される（図４の状態とされる）。この後ヘッドアップディスプレイ１０が、取付ブラケット１１から取外される。取付ブラケット１１から取外されたヘッドアップディスプレイ１０は、クロスカービーム１の前方空間Ｋを通して、下方から取り出される。なお、ヘッドアップディスプレイ１０の取外しや取付けの際に、インストルメントパネル２のロアパネル部が邪魔になるときは、このロアパネル部をあらかじめ取外して状態で前述した取外しや取付けの作業を行えばよい。また、ステアリングシャフトが邪魔になる場合は、あらかじめステアリングシャフトを、クロスカービーム１から取外して、車室床面に寝かせた状態としておけばよい。
【００４２】
以上実施形態について説明したが、本発明は、実施形態に限定されるものではなく、特許請求の範囲の記載された範囲において適宜の変更が可能である。ペダル後退防止ブラケット３０を、ベースブラケット２０を介することなく、直接的にクロスカービーム１に対して固定具によって固定するようにしてもよい。ペダル後退防止ブラケット３０の回り止めは、例えば、ペダル後退防止ブラケット３０に形成された突起部をベースブラケット２０の形成された嵌合孔に挿入することにより構成する等、適宜の手法を採択できる。後退防止の対象となる操作ペダルとしては、ブレーキペダルに限らず、アクセルペダルやクラッチペダルであってもよい。勿論、本発明の目的は、明記されたものに限らず、実質的に好ましいあるいは利点として表現されたものを提供することをも暗黙的に含むものである。
【産業上の利用可能性】
【００４３】
本発明は、ペダル後退防止ブラケットの取付作業性向上の上で好ましいものとなる。
【符号の説明】
【００４４】
Ｓ：隙間
Ｋ：空間（クロスカービームとダッシュパネルとの間）
１：クロスカービーム
２：インストルメントパネル
１０：ヘッドアップディスプレイ
１０ａ：フランジ部
１１：取付ブラケット
１１ａ：取付孔（ヘッドアップディスプレイ用）
１２：第２固定具
２０：ベースブラケット
２０ａ：取付面
２０ｂ：係止部（回り止め用）
２０ｃ：屈曲部
３０：ペダル後退防止ブラケット
３０Ａ：本体部材（本体部）
３０Ｂ：受圧板（受圧部）
３０ａ：固定部
３０ｂ：回り止め部
３１：第１固定具
３１Ａ：ボルト
３１Ｂ：ナット
４０：ダッシュパネル
５０：ブレーキペダル
５１：ブラケット
５０ａ：保持孔
５２：保持ピン
５３：ピン（揺動レバー用）
５４：揺動レバー
５４ａ：一端部（ペダル後退防止ブラケットへの当接用）
５４ｂ：他端部（保持ピン脱落用）
【図１】
2018169805.tif 000003
【図２】
2018169805.tif 000004
【図３】
2018169805.tif 000005
【図４】
2018169805.tif 000006
【図５】
2018169805.tif 000007
【図６】
2018169805.tif 000008
【図７】
2018169805.tif 000009
【図８】
2018169805.tif 000010